(57)【要約】  【課題】  携帯端末の電源スイッチのオフ時に行うべき後処理を電源スイッチがオフにされた後に実行可能とさせる携帯無線機用電源制御回路を提供する。  【解決手段】  この発明の携帯無線機用電源制御回路１００において、プログラム制御実行部であるＭＰＵ１５は、スイッチング通知回路１９からオフ信号を受け取ると、電源スイッチ１１がオフ状態に切り替えられ、予め定められた遅延時間の後に二次電源供給回路１３からの二次電源供給が停止されることを認識できる。そこで、スイッチング通知回路１９からオフ信号を受け取り後、二次電源供給回路１３がスイッチング通知遅延回路１２から遅延オフ信号を受け取り、二次電源供給を停止するまでに、電源スイッチのオン状態からオフ状態への切り替えに伴う必要な制御処理を実行することができる。  【選択図】  図１
2006042024.tif 000002
【特許請求の範囲】
【請求項１】
電源スイッチのオンまたはオフの状態に対応して、収納している電池電源から二次電源を生成し、生成した二次電源を必要な各部に供給または停止する携帯無線機用電源制御回路であって、
電源スイッチのオン状態またはオフ状態を通知するオン信号またはオフ信号を出力するスイッチング通知回路と、
電源スイッチのオン状態またはオフ状態を予め定められた時間だけ遅延させた遅延オン信号または遅延オフ信号を出力するスイッチング通知遅延回路と、
スイッチング通知遅延回路から受け取る遅延オン信号または遅延オフ信号に応じて電池電源から生成する二次電源を供給または停止する二次電源供給回路と、
スイッチング通知回路からオフ信号を受け取ったときから、スイッチング通知遅延回路から遅延オフ信号を受け取るまでに、電源スイッチのオン状態からオフ状態への切り替えに伴う必要な制御処理を実行するプログラム制御実行部とを有する携帯無線機用電源制御回路。
【請求項２】
請求項１に記載の携帯無線機用電源制御回路において、
スイッチング通知遅延回路が遅延時間を決定するための時定数は変更可能にされている携帯無線機用電源制御回路。
【請求項３】
請求項２に記載の携帯無線機用電源制御回路において、
スイッチング通知遅延回路が遅延時間を決定するための時定数は、入力装置によって外部から変更可能にされている携帯無線機用電源制御回路。
【発明の詳細な説明】
【技術分野】
【０００１】
本発明は、携帯無線機用電源制御回路に関し、特に、電源スイッチのオンまたはオフの状態に対応して、収納している電池電源から二次電源を生成し、生成した二次電源を必要な各部に供給または停止する携帯無線機用電源制御回路に関する。
【背景技術】
【０００２】
図２は、この種の携帯無線機用電源制御回路の従来例を示すブロック図である。図２の携帯無線機用電源制御回路２００は、電源スイッチ３１と、二次電源供給回路３３と、リセット回路３４と、ＭＰＵ３５と、ＦＬＡＳＨ・ＲＯＭ３６と、ＳＲＡＭ３７と、ＥＥＰＲＯＭ３８と、スイッチング通知回路３９とを有する。この携帯無線機用電源制御回路２００の動作について説明する。先ず、電源スイッチ３１が“オフ”状態から“オン”状態に切り替えられた場合について説明する。電源スイッチ３１が“オン”状態に切り替えられると、スイッチング通知回路３９は、電源スイッチ３１が“オン”状態に切り替えられた旨をＭＰＵ３５に通知する。また、二次電源供給回路３３のオン／オフ制御端子はグランドに接続されるので、二次電源供給回路３３のオン／オフ制御端子の論理レベルはロウレベル（“Ｌ”）になり、二次電源供給回路３３は、電池電源ＢＡＴＴから二次電源ＶＤＤを生成し、リセット回路３４と、ＭＰＵ３５と、ＦＬＡＳＨ・ＲＯＭ３６と、ＳＲＡＭ３７と、ＥＥＰＲＯＭ３８と、スイッチング通知回路３９とに供給する。スイッチング通知回路３９の“オン”状態の通知を受け、二次電源の供給を受けると、ＭＰＵ３５は、リセット回路３４によってリセットされ、ＦＬＡＳＨ・ＲＯＭ３６の読み出し等の通常の制御動作を開始する。
【０００３】
次に、電源スイッチ３１が“オン”状態から“オフ”状態に切り替えられた場合について説明する。電源スイッチ３１が“オフ”状態に切り替えられると、スイッチング通知回路３９は、電源スイッチ３１が“オフ”状態に切り替えられた旨をＭＰＵ３５に通知するとともに、二次電源供給回路３３は二次電源の供給を停止する。そこで、これらの通知および供給の停止を受けたＭＰＵ３５は、直ちに制御動作を停止する。このように、電源スイッチ３１が“オフ”状態に切り替えられると、ＭＰＵ３５は、直ちに制御動作を停止するので、電源スイッチ３１が“オフ”状態に切り替えられることに関連して実行すべき制御処理、例えば、電源“オフ”を表示させることや、携帯無線機端末の電源が“オフ”されたことを基地局に通知する処理などが行えないという不都合がある。このような場合に解決方法として、例えば、電源“オフ”後に必要な処理を実行し、スリープモードに移行するという提案もなされたが、スリープモードといえどもそれなりに電池電源を消費するのでよりよい方法が求められる。
【発明の開示】
【発明が解決しようとする課題】
【０００４】
上述した従来の携帯無線機用電源制御回路においては、電源スイッチが“オフ”状態に切り替えられると、ＭＰＵは、直ちに制御動作を停止するので、電源スイッチが“オフ”状態に切り替えられることに関連して実行すべき制御処理、例えば、電源“オフ”を表示させることや、携帯無線機端末の電源が“オフ”されたことを基地局に通知する処理などが行えないという不都合がある。このような場合に解決方法として、例えば、電源スイッチをオフした後に必要な処理を実行し、スリープモードに移行するという提案もなされたが、スリープモードといえどもそれなりに電池電源を消費するのでよりよい方法が求められる。
【０００５】
本発明は上述した問題点を解決するためになされたものであり、スリープモードによること無しに、携帯無線機端末の電源スイッチのオフに関連して行うべき後処理を電源スイッチがオフにされた後に実行可能とさせる携帯無線機用電源制御回路を提供することを目的とする。
【課題を解決するための手段】
【０００６】
この発明は、電源スイッチのオンまたはオフの状態に対応して、収納している電池電源から二次電源を生成し、生成した二次電源を必要な各部に供給または停止する携帯無線機用電源制御回路であって、電源スイッチのオン状態またはオフ状態を通知するオン信号またはオフ信号を出力するスイッチング通知回路と、電源スイッチのオン状態またはオフ状態を予め定められた時間だけ遅延させた遅延オン信号または遅延オフ信号を出力するスイッチング通知遅延回路と、スイッチング通知遅延回路から受け取る遅延オン信号または遅延オフ信号に応じて電池電源から生成する二次電源を供給または停止する二次電源供給回路と、スイッチング通知回路からオフ信号を受け取ったときから、スイッチング通知遅延回路から遅延オフ信号を受け取るまでに、電源スイッチのオン状態からオフ状態への切り替えに伴う必要な制御処理を実行するプログラム制御実行部とを有する。
【０００７】
このような構成によれば、プログラム制御実行部は、スイッチング通知回路からオフ信号を受け取ると、電源スイッチがオフ状態に切り替えられ、予め定められた遅延時間の後に二次電源の供給が停止されることを認識できる。そこで、スイッチング通知回路からオフ信号を受け取り後、二次電源供給回路がスイッチング通知遅延回路から遅延オフ信号を受け取り、二次電源供給を停止するまでに、電源スイッチのオン状態からオフ状態への切り替えに伴う必要な制御処理を実行することができる。
【０００８】
また、この発明において、スイッチング通知遅延回路が遅延時間を決定するための時定数は変更可能にされているのが好ましい。
【０００９】
さらに、この発明において、スイッチング通知遅延回路が遅延時間を決定するための時定数は、入力装置によって外部から変更可能にされているのが好ましい。
【発明の効果】
【００１０】
以上に詳述したように本発明によれば、プログラム制御実行部は、スイッチング通知回路からオフ信号を受け取ると、電源スイッチがオフ状態に切り替えられ、予め定められた遅延時間の後に二次電源の供給が停止されることを認識できる。そこで、スイッチング通知回路からオフ信号を受け取り後、スイッチング通知遅延回路から遅延オフ信号を受け取るまでに、電源スイッチのオン状態からオフ状態への切り替えに伴う必要な制御処理を実行することができる。したがって、スリープモードによること無しに、携帯無線機端末の電源スイッチのオフに関連して行うべき後処理を電源スイッチがオフにされた後の所定時間内で実行でき、電池電源の消耗も減少させることができる。
【発明を実施するための最良の形態】
【００１１】
以下、本発明の実施の形態について図面を参照しつつ説明する。図１は、本発明の携帯無線機用電源制御回路の実施の形態を示すブロック図である。図１の携帯無線機用電源制御回路１００は、電源スイッチ１１と、スイッチング遅延回路１２と、二次電源供給回路１３と、リセット回路１４と、ＭＰＵ１５と、ＦＬＡＳＨ・ＲＯＭ１６と、ＳＲＡＭ１７と、ＥＥＰＲＯＭ１８と、スイッチング通知回路１９と、時定数切り替え回路２０とを有する。
【００１２】
上述のスイッチング遅延回路１２は、バイポーラトランジスタＴＲ２０と、抵抗Ｒ２１，Ｒ２２，Ｒ２３，Ｒ２４，Ｒ２５と、コンデンサＣ２１と、ダイオードＤ２１と、Ｎチャネル電界効果トランジスタＦＥＴ２１，ＦＥＴ２２とから構成されている。二次電源供給回路１３およびリセット回路１４は、それぞれ集積回路により構成されている。時定数切り替え回路２０は、バイポーラトランジスタＴＲ３０と、抵抗Ｒ３１，Ｒ３２，Ｒ３３とから構成されている。スイッチング通知回路１９は、バイポーラトランジスタＴＲ４０と、抵抗Ｒ４１とから構成されている。
【００１３】
次に、上述の携帯無線機用電源制御回路１００の動作について説明する。先ず、電源スイッチ１１が“オフ”状態から“オン”状態に切り替えられた場合について説明する。電源スイッチ１１が“オン”状態に切り替えられると、抵抗Ｒ２３，２４を通じて電池電源ＢＡＴＴからグランドに電流が流れるので、トランジスタＴＲ２０のベースの電位は引き下げられ、トランジスタＴＲ２０は、“オン”状態になる。トランジスタＴＲ２０が“オン”状態になると、トランジスタＴＲ２０およびダイオードＤ２１を通して抵抗Ｒ２１とコンデンサＣ２１との並列回路に電池電源ＢＡＴＴが印加される（この場合、ＦＥＴ２２は、“オフ”状態であると仮定する。“オン”状態の場合は後述する）。
【００１４】
上述の場合、ＦＥＴ２２が“オフ”状態であるので、抵抗Ｒ２２は開放状態であり、抵抗Ｒ２１とコンデンサＣ２１との並列回路で決まる時定数に従ってＮチャネルのＦＥＴ２１のゲートの電位が上昇する。すなわち、電源スイッチ１１の“オン”状態よりも時定数による遅延をもって、ＦＥＴ２１のゲートの電位が閾値に到達すると、ＦＥＴ２１は、“オン”状態になり遅延オン信号を出力する。遅延オン信号は、二次電源供給回路１３のオン／オフ制御端子の論理レベルをロウレベル（“Ｌ”）にする。二次電源供給回路１３は、オン／オフ制御端子の論理レベルが“Ｌ”になると、電池電源ＢＡＴＴから二次電源ＶＤＤ（直流）を生成し、リセット回路１４と、ＭＰＵ１５と、ＦＬＡＳＨ・ＲＯＭ１６と、ＳＲＡＭ１７と、ＥＥＰＲＯＭ１８と、スイッチング通知回路１９とに供給する。二次電源の供給が行われると、ＭＰＵ１５は、リセット回路１４によってリセットされ、通常の制御動作を開始する。
【００１５】
次に、電源スイッチ１１が“オン”状態から“オフ”状態に切り替えられた場合について説明する。電源スイッチ１１が“オフ”状態に切り替えられると、電池電源ＢＡＴＴからの電流は抵抗Ｒ２３，２４を通じて流れなくなるので、トランジスタＴＲ２０のベースの電位は電池電源ＢＡＴＴの電位まで引き上げられ、トランジスタＴＲ２０は“オフ”状態になる。そこで、コンデンサＣ２１に充電されていた電荷は、ＦＥＴ２２が“オフ”状態の場合、抵抗Ｒ２１を通って放電する（なお、ＦＥＴ２２が“オン”状態の場合、抵抗Ｒ２１，Ｒ２２を通って放電する。すなわち、コンデンサＣ２１の充電および放電に関する時定数が切り替え可能にされている。ここでは、先ず、ＦＥＴ２２が“オフ”状態の場合、すなわち、時定数が大きい場合について説明する）。
【００１６】
コンデンサＣ２１の放電が開始すると、コンデンサＣ２１および抵抗Ｒ２１で決まる時定数に従った所定の遅延時間の後、ＦＥＴ２１のゲート電位は閾値に到達し、ＦＥＴ２１は“オフ”状態になり遅延オフ信号を出力する。遅延オフ信号が出力されると、二次電源供給回路１３のオン／オフ制御端子の論理レベルがハイレベル（“Ｈ”）になるので、二次電源供給回路１３は、二次電源ＶＤＤの供給を停止する。二次電源ＶＤＤの供給が停止されると、ＭＰＵ１５は動作を停止する。他方、ＭＰＵ１５は、二次電源供給回路１３が二次電源ＶＤＤの供給を停止する前に、スイッチング通知回路１９を介して、電源スイッチ１１が“オン”状態から“オフ”状態に切り替えられた旨の通知を受けている。そこで、ＭＰＵ１５は、電源スイッチ１１が“オフ”状態に切り替えられた旨の通知を受けてから、二次電源供給回路１３の二次電源供給の停止があるまでに、電源スイッチ１１の“オフ”状態への切り替えに関連して必要となる制御処理を実行することができる。
【００１７】
上述のＭＰＵ１５が電源スイッチ１１の“オフ”状態から二次電源供給停止までに実行しなければならない処理に対して、ＭＰＵ１５がコンデンサＣ２１および抵抗Ｒ２１による時定数で決まるだけの長い遅延時間を必要としないと判断した場合には、時定数切り替えポートの出力を“Ｈ”から“Ｌ”に切り替えるようにＭＰＵ１５の動作をプログラムしておく。どの場合に時定数切り替えポートの出力を切り替えるかは、あらかじめ制御プログラムに設定しておくことで実現できる。上述の時定数切り替えポートの出力の“Ｌ”への切り替えにより、時定数切り替え回路２０のトランジスタＴＲ３０は、“オフ”状態になり、ＦＥＴ２２のゲート電圧は“Ｈ”になる。そこで、ＦＥＴ２２は、“オン”状態になり、抵抗Ｒ２２がコンデンサＣ２１および抵抗Ｒ２１に並列に接続されることとなる。この場合には、コンデンサＣ２１の放電に対する時定数は小さくなり、より早く放電し、電源スイッチ１１が“オフ”された後で無駄に回路を作動させておくことが無く、電池電源の浪費を防止することができる。また、上述の時定数切り替えポートの出力の切り替えは、入力装置を用いて外部からでも変更できるように設定しておくのが好ましい。
【図面の簡単な説明】
【００１８】
【図１】本発明の携帯無線機用電源制御回路の実施の形態を示すブロック図である。
【図２】携帯無線機用電源制御回路の従来例を示すブロック図である。
【符号の説明】
【００１９】
１１  電源スイッチ、１２  スイッチング遅延回路、１３  二次電源供給回路、１４  リセット回路、１５  ＭＰＵ、１６  ＦＬＡＳＨ・ＲＯＭ、１７  ＳＲＡＭ、１８  ＥＥＰＲＯＭ１８、１９  スイッチング通知回路、２０  時定数切り替え回路、１００  携帯無線機用電源制御回路。
【図１】
2006042024.tif 000003
【図２】
2006042024.tif 000004